(57)【要約】【課題】花の部分を風車のように回転するようにした人工の活花を提供する。【解決手段】本考案の造形物は、花の形状に摸した風車部材が枝部材に回転可能に装着されたものであり、風車部材が、紐状部材を編み込んでほぼ球状に形成されたつぼみ部と、その外周部に複数の花びらを放射状に突設してなる花びら部とを備え、風車部材におけるつぼみ部の回転軸部分に形成される挿通孔に枝部材を挿通させると共に、つぼみ部の回転軸方向の両端部に配置されるがく部及びストッパーを枝部材に固着し、これらがく部とストッパーの間における枝部材を回転軸部材として風車を回転可能に軸支して回転させるように構成した。【選択図】図１
0003107875.tif 000002
【実用新案登録請求の範囲】
【請求項１】
花の形状に摸した風車部材が枝部材に回転可能に装着された造形物において、前記風車部材は、紐状部材を編み込んでほぼ球状に形成されたつぼみ部と、その外周部に複数の花びらを放射状に突設してなる花びら部とを備え、前記風車部材におけるつぼみ部の回転軸部分に形成される挿通孔に前記枝部材を挿通させると共に、前記つぼみ部の回転軸方向の両端部に配置されるがく部及びストッパーを前記枝部材に固着し、これらがく部とストッパーの間における前記枝部材を回転軸部材として前記風車を回転可能に軸支して回転させるように構成したことを特徴とする造形物。
【請求項２】
前記風車部材は、その回転軸方向へ所定ストロークに亘って移動できるように、前記がく部とストッパーとが所定間隔で前記枝部材に固着されていることを特徴とする請求項１に記載の造形物。
【考案の詳細な説明】
【技術分野】
【０００１】
本考案は花の部分が風車のように回転する造花であって、これを活花とする造形物に関するものである。
【背景技術】
【０００２】
従来、活花に似せて人工の活花や造花が利用されている。このような造花に関し、実開昭５６―０５０５００号公報には、同一方向にひねりを与えた花弁、花しん、がくのついた回転筒を軸に回転自在に取付けた構造の花風車が開示されており、軸は、先端に止ピン後方に止節を固着した針金で構成されている。これにより、風に当たると、花弁、花しん、がくが一体となって回転するものとなっている。しかし、紐状部材を編み込んで形成されるような要素はなく工芸的要素に欠けるものとなっていた。
【特許文献１】実開昭５６―０５０５００号公報
【考案の開示】
【考案が解決しようとする課題】
【０００３】
生花の場合は枯れたり、手入れが大変であった。人工の活花・造花の場合、枯れることがないが、動的要素がなく面白みにかけるという問題点や、紐状部材を編み込んで形成するといった工芸的要素に欠けるものとなっていた。本考案は、これらの問題点を解決するためになされたものである。
【課題を解決するための手段】
【０００４】
上記目的を達成するために、本考案の造形物は、花の形状に摸した風車部材が枝部材に回転可能に装着された造形物において、前記風車部材は、紐状部材を編み込んでほぼ球状に形成されたつぼみ部と、その外周部に複数の花びらを放射状に突設してなる花びら部とを備え、前記風車部材におけるつぼみ部の回転軸部分に形成される挿通孔に前記枝部材を挿通させると共に、前記つぼみ部の回転軸方向の両端部に配置されるがく部及びストッパーを前記枝部材に固着し、これらがく部とストッパーの間における前記枝部材を回転軸部材として前記風車を回転可能に軸支して回転させるように構成したことを特徴とする。また、前記風車部材は、その回転軸方向へ所定ストロークに亘って移動できるように、前記がく部とストッパーとが所定間隔で前記枝部材に固着されていることを特徴とする。
【考案の効果】
【０００５】
本考案の造形物を使用することによって、風があたると花車のように風車部材が音をたてて、サラサラ・カラカラと回り、種類によっては上下動をして動的作用により楽しむことができる。又、小さな器から大きな花器に至る迄、又、千代紙の柄も豊富なので色彩が楽しめる。
【考案を実施するための最良の形態】
【０００６】
以下、本考案の実施の形態について図面を参照して説明する。図１は本考案の造形物１を示したものである。この図１に示すように造形物１は、あたかも枝部材２（分岐枝３や節４を有する）の先端に咲いた花のような形状に形成され、花の部分（風車部材）が風を受けて風車のように回転するものである。このように花が回転する花車とするために、造形物１における風車部材は、図２に示すように竹ひご（紐状部材）で作られたつぼみ部５と、竹ひごの端部に設けられた花びら部６を有している。
【０００７】
つぼみ部５は、図３に示すように竹ひごを編んで球状に構成され、かつその下面から花びらを取付けるための接続部材８が竹ひごの端部を延出させることによって構成されている。各接続部材８には花びらを連想させるような花びら部６が取り付けられる。この花びら部６としては、千代紙等の色やデザインの物から各種趣向により決定されてもよい。さらににその形状としては、風を受けるだけの面積を有するものであればよい。但し、装着にあたって一定の方向からの風を受け、つぼみ部５及び、花びら部６が一定の方向へ回転するような傾斜や角度となるようにする。
【０００８】
花びら部６を備えたつぼみ部５は、分岐枝３（もしくは枝部材２）から抜け落ちないようにストッパー７と、がく部１０との間で分岐枝３に挿通されて取り付けられる。がく部１０には任意の枝の先端から通すことが出来、かつ、節より小さながく孔１１を有する。ストッパー７は任意の枝の先端に取付けるためのストッパー孔９を有するものである。
【０００９】
これを組立てる場合、取付ける枝のがく部１０を留める節を決め、そこから先端に向けてのびた枝にがく部１０のがく孔１１を通して取付ける。この際、不要となったり、がく孔１１の径より太い部位がある場合、その部分を切り落して取付ける。更にがく部１０の上に竹ひごで作ったつぼみ部５を取付ける。取付けにあたっては竹ひごのすき間に枝を通すが、この際、枝が回転軸の役目を果すように位置させる。更にその上にストッパー７のストッパー孔９を通し取付ける。枝がストッパー孔９をつき抜けて突出するようにし、ストッパー７の上面位置で切断する。ストッパー孔９の上面にストッパー７と枝が固定されるように接着剤１２で固める。なお、ストッパー７の位置として、ストッパー７と節で強く締め付けると回転を妨げるため、若干のすき間を構成させる事が望ましい。
【００１０】
本考案は以上のような構成より成り、以下のように使用する。これを使用する方法としては、これら造形物を複数用意して組合わせ、造葉を加えてテープで止め、ナイロン入和紙（柄物も含む）に包んで元をリボンで結ぶ。それを壁にピンで止める。小さな器から大きな花器に至るまで自由に活ける事が出来る。その時、オアシス又は粘土等を用いて差し込むと安定する。これを玄関や居間等に飾り、風があたるような位置にあると、花の形をした風車がこの風を受け回転を始める。花を様々な方向に向けておくことで、少なくともどれかが常に回っている状態にすることが可能となる。
【００１１】
図６及び図７は、ストッパー７、がく部１０、花びら部６の形状を変えた形態を示したものである。このように目的、用途に応じて、自由に形を変える事で様々な楽しみ方ができるものとなる。また、図８及び図９は、造形物１を回転のみならず枝に対して上下動するようにしたものである。上述した造形物１との違いは、ストッパー７を造形物１（風車部材）が上下動するために必要な間隔を設けて取付けられている点である。花びら部６が風を受けて回転すると枝が正確な直線となっておらず、又、つぼみ部５の枝を通している部分も同径となっていないため、その円心力で枝を押さえつけ上に押し上る。そして回転力が止まると自重により、節の所迄下ってくる。
【図面の簡単な説明】
【００１２】
【図１】本考案の造形物を示す斜視図である。
【図２】本考案の風車部材の平面図である。
【図３】本考案の風車部材の一部分解図である。
【図４】本考案の造形物を示す分解図である。
【図５】本考案の造形物の正面図である。
【図６】本考案の風車部材の分解図である。
【図７】他の実施の形態における風車部材の平面図である。
【図８】他の実施の形態における造形物の正面図である。
【図９】使用状態を示す説明図である。
【符号の説明】
【００１３】
１  造形物
２  枝部材
３  分岐枝
４  節
５  つぼみ部
６  花びら部
７  ストッパー
８  接続部材
９  ストッパー孔
１０  がく部
１１  がく孔
１２  接着剤
【図１】
0003107875.tif 000003
【図２】
0003107875.tif 000004
【図３】
0003107875.tif 000005
【図４】
0003107875.tif 000006
【図５】
0003107875.tif 000007
【図６】
0003107875.tif 000008
【図７】
0003107875.tif 000009
【図８】
0003107875.tif 000010
【図９】
0003107875.tif 000011